(57)【特許請求の範囲】
【請求項１】
外部口と少なくとも第一の口、第二の口、及び第三の口を有する入口端部とを有する弁本体と、弁本体内の第一の口と第二の口とを連通する第一流体流動路に配置され、第一の口と第二の口の間の流体流動を制御するのに適合した第一弁と、弁本体内の第三の口と外部口とを連通する第二流体流動路に配置され、第三の口と外部口の間の流体流動を制御するのに適合した第二弁とを含む流体流動弁アセンブリ。
【請求項２】
（ａ）外部口と、少なくとも第一の口、第二の口、及び第三の口を有する入口端部とを有する弁本体、
（ｂ）弁本体内に配置された第一弁であって、第一弁入口と、第一弁出口と、第一弁が開いた時に第一弁入口から第一弁出口への流体流動を可能とし、第一弁が閉じた時には第一弁入口から第一弁出口への流体流動を阻止するのに適合した第一シールとを有する第一弁、
（ｃ）弁本体内に配置された第二弁であって、第二弁入口と、第二弁出口と、第二弁が開いた時に第二弁入口から第二弁出口への流体流動を可能とし、第二弁が閉じた時には第二弁入口から第二弁出口への流体流動を阻止するのに適合した第二シールとを有する第二弁、
（ｄ）第一弁入口と弁本体の入口端部の第一の口とを接続する第一流体流動路及び第一弁出口を弁本体の入口端部の第二の口に接続する第二流体流動路、及び
（ｅ）第二弁入口と弁本体の入口端部の第三の口とを接続する第三流体流動路及び第二弁出口を弁本体の外部口に接続する第四流体流動路、
を含む流体流動弁アセンブリ。
【請求項３】
弁本体の入口端部の第四の口と、弁本体の追加の外部口と、弁本体内に配置された第三弁であって、第三弁入口と、第三弁出口と、第三弁が開いた時に第三弁入口から第三弁出口への流体流動を可能とし、第三弁が閉じた時には第三弁入口から第三弁出口への流体流動を阻止するのに適合した第三シールとを有する第三弁と、第三弁出口と弁本体の入口端部の第四の口とを接続する第五流体流動路と、第三弁入口を弁本体の追加の外部口に接続する第六流体流動路とを更に含む、請求項２に記載の流体流動弁アセンブリ。
【請求項４】
第一及び第二弁シールのいずれも、第一及び第二弁入口のいずれかと第一及び第二弁出口のいずれかの間の流体流動を阻止するために第一及び第二弁入口のいずれかと第一及び第二弁出口のいずれかに対しシール可能に押し付けられるのに適合した可撓性ダイヤフラムを含む、請求項２に記載の流体流動弁アセンブリ。
【請求項５】
（ａ）次の（１）〜（５）、すなわち、
（１）外部口と少なくとも第一の口、第二の口、及び第三の口を有する入口端部とを有する弁本体、
（２）弁本体内に配置された第一弁であって、第一弁入口と、第一弁出口と、第一弁が開いた時に第一弁入口から第一弁出口への流体流動を可能とし、第一弁が閉じた時には第一弁入口から第一弁出口への流体流動を阻止するのに適合した第一シールとを有する第一弁、
（３）弁本体内に配置された第二弁であって、第二弁入口と、第二弁出口と、第二弁が開いた時に第二弁入口から第二弁出口への流体流動を可能とし、第二弁が閉じた時には第二弁入口から第二弁出口への流体流動を阻止するのに適合した第二シールとを有する第二弁、
（４）第一弁入口と弁本体の入口端部の第一の口とを接続する第一流体流動路及び第一弁出口を弁本体の入口端部の第二の口に接続する第二流体流動路、
（５）第二弁入口と弁本体の入口端部の第三の口とを接続する第三流体流動路及び第二弁出口を弁本体の外部口に接続する第四流体流動路、
を有する流体流動弁アセンブリ、
（ｂ）流体処理容器であって、入口と、出口と、容器内に配置された処理用物質とを含み、容器を流れる流体を処理するのに適合している流体処理容器、及び
（ｃ）流体処理容器の入口と弁本体の入口端部の第二の口とを接続する入口管及び流体処理容器の出口と弁本体の入口端部の第一の口とを接続する出口管、
を含む流体流動弁及び流体処理容器アセンブリ。
【請求項６】
弁本体の入口端部の第四の口と、弁本体の追加の外部口と、弁本体内に配置された第三弁であって、第三弁入口と、第三弁出口と、第三弁が開いた時に第三弁入口から第三弁出口への流体流動を可能とし、第三弁が閉じた時に第三弁入口から第三弁出口への流体流動を阻止するのに適合した第三シールとを有する第三弁と、第三弁出口と弁本体の入口端部の第四の口とを接続する第五流体流動路と、第三弁入口を弁本体の追加の外部口に接続する第六流体流動路とを更に含む、請求項５に記載の流体流動弁及び流体処理容器アセンブリ。
【請求項７】
（ｄ）流体処理容器の入口管と流体処理容器の出口管の間に配置され、且つ、出口管から入口管への流体流動を可能とし、入口管から出口管への流体流動を阻止するのに適合した第一逆止弁、及び
（ｅ）第一逆止弁と流体処理容器の出口との間の位置で出口管に配置され、且つ、流体処理容器の出口から弁本体の入口端部の第三の口への流体流動を可能とし、第三の口から流体処理容器の出口への流体流動を阻止するのに適合した第二逆止弁、
を含む、請求項５に記載の流体流動弁及び流体処理容器アセンブリ。
【請求項８】
流体処理容器内に配置される流体処理用物質が、吸着剤物質、吸収剤物質、触媒物質、ゲッター物質、ろ過物質、及びそれらの組み合わせよりなる群から選ばれる、請求項５に記載の流体流動弁及び流体処理容器アセンブリ。
【請求項９】
（ａ）開口部と内部を有する流体貯蔵容器、
（ｂ）外部口と、少なくとも第一の口、第二の口、及び第三の口を有する入口端部とを有する弁本体、弁本体内の第一の口と第二の口とを連通する第一流体流動路に配置され、第一の口と第二の口の間の流体流動を制御するのに適合した第一弁、弁本体内の第三の口と外部口とを連通する第二流体流動路に配置され、第三の口と外部口との間の流体流動を制御するのに適合した第二弁を含み、弁本体がシール可能に流体貯蔵容器の開口部に装着され、且つ、第一の口、第二の口、及び第三の口が流体貯蔵容器内に位置する流体流動弁アセンブリ、
（ｃ）流体処理容器であり、入口、出口、及び流体処理容器内に配置された処理用物質を含み、該流体処理容器を流れる流体を選択的に処理するのに適合している流体処理容器であって、流体貯蔵容器内に配置される流体処理容器、及び
（ｄ）流体処理容器の入口と弁本体の入口端部の第二の口とを接続する入口管及び流体処理容器の出口と弁本体の入口端部の第三の口とを接続する出口管、を含む流体貯蔵及び送給システム。
【請求項１０】
流体貯蔵容器が加圧ガスを収容する、請求項９に記載の流体貯蔵及び送給システム。
【請求項１１】
加圧ガスが、窒素、アルゴン、ヘリウム、水素、ネオン、クリプトン、キセノン、ラドン、及びそれらの組み合わせよりなる群から選ばれる少なくとも１種のガスである、請求項１０に記載の流体貯蔵及び送給システム。
【請求項１２】
流体貯蔵容器が加圧液化ガスを収容する、請求項９に記載の流体貯蔵及び送給システム。
【請求項１３】
加圧液化ガスが、塩化水素、臭化水素、フッ化水素、塩素、アンモニア、六フッ化タングステン、ジシラン、ジクロロシラン、トリメチルシラン、及び三塩化ホウ素よりなる群から選ばれる少なくとも１種のガスである、請求項１２に記載の流体貯蔵及び送給システム。
【請求項１４】
流体貯蔵容器が更に、該流体貯蔵容器内部に配置され、且つ１種以上の化合物を発生するのに適合した反応装置システムを含み、この反応装置システムは該流体貯蔵容器内部に該１種以上の化合物を放出するのに適合している、請求項９に記載の流体貯蔵及び送給システム。
【請求項１５】
流体処理容器内に配置される処理用物質が、吸着剤物質、吸収剤物質、触媒物質、ゲッター物質、ろ過物質、及びそれらの組み合わせよりなる群から選ばれる、請求項９に記載の流体貯蔵及び送給システム。
【請求項１６】
（ａ）次の（１）〜（４）、すなわち、
（１）開口部と内部を有する流体貯蔵容器、
（２）外部口と、少なくとも第一の口、第二の口、及び第三の口を有する入口端部とを有する弁本体、弁本体内の第一の口と第二の口とを連通する第一流体流動路に配置され、第一の口と第二の口の間の流体流動を制御するのに適合した第一弁、及び弁本体内の第三の口と外部口とを連通する第二流体流動路に配置され、第三の口と外部口の間の流体流動を制御するのに適合した第二弁を含み、弁本体がシール可能に流体貯蔵容器の開口部に装着され、且つ第一の口、第二の口、及び第三の口が流体貯蔵容器内に位置する流体流動弁アセンブリ、
（３）流体処理容器であり、入口、出口、及び該流体処理容器内に配置された処理用物質を含む流体処理容器であって、流体貯蔵容器内に配置され、且つ流体貯蔵容器の内部から供給されて流体処理容器を流れる流体を処理するのに適合した流体処理容器、
（４）流体処理容器の入口と弁本体の入口端部の第二の口とを接続する入口管及び流体処理容器の出口と弁本体の入口端部の第三の口とを接続する出口管、を含む、加圧流体貯蔵及び送給システムを用意すること、
（ｂ）第一弁と第二弁を閉鎖位置に保持しながら、流体を流体貯蔵容器に導入すること、
（ｃ）第一弁と第二弁を開放して、それによりそれぞれの弁を開放位置にすること、及び
（ｄ）第一弁を通して流体貯蔵容器から流体を取り出し、流体を流体処理容器に導入し、処理用物質との接触により流体を処理し、流体処理容器から処理した流体を取り出し、処理した流体を第二弁を通して送り、そして処理した流体を外部口を通して取り出すこと、を含む流体の貯蔵及び分配方法。
【請求項１７】
流体流動弁アセンブリが、弁本体の入口端部の第四の口、弁本体の充填口、弁本体内に配置されて第三弁入口と第三弁出口を有する第三弁であって、第三弁が開放位置にある時に第三弁入口から第三弁出口への流体流動を可能とし、第三弁が閉鎖位置にある時には第三弁入口から第三弁出口への流体流動を阻止するのに適合した第三弁、第三弁出口と弁本体の入口端部の第四の口とを接続する第五流体流動路、及び第三弁入口を弁本体の充填口に接続する第六流体流動路、を更に含み、流体を開放位置の第三弁を通して充填口に導入し、第一弁と第二弁を閉鎖位置に保持しながら流体貯蔵容器に導入して、そして第三弁を閉鎖位置にすることで流体貯蔵容器の充填を終了させることにより、流体貯蔵容器を充填する、請求項１６に記載の方法。
【請求項１８】
加圧流体貯蔵及び送給システムが、（５）流体処理容器の入口管と流体処理容器の出口管の間に配置され、出口管から入口管へ流体流動を可能とし、且つ入口管から出口管への流体流動を阻止するのに適合した第一逆止弁、及び（６）第一逆止弁と流体処理容器の出口の間の位置で出口管に配置され、流体処理容器の出口から弁本体の入口端部の第三の口への流体流動を可能とし、且つ第三の口から流体処理容器の出口への流体流動を阻止するのに適合した第二逆止弁、を更に含み、第一弁と第二弁を開放位置にし、流体を、第一弁を通し、第一逆止弁を通し、第二弁を通して製品送給口に導入し、そして流体貯蔵容器に導入して、第一弁と第二弁のそれぞれを閉鎖位置にすることにより流体貯蔵容器の充填を終了させることにより、流体貯蔵容器を充填する、請求項１６に記載の方法。
【請求項１９】
（ａ）開口部と内部とを有する主容器、
（ｂ）外部口と、少なくとも第一の口、第二の口、及び第三の口を有する入口端部とを有する弁本体、弁本体内の第一の口と第二の口とを連通する第一流体流動路に配置され、第一の口と第二の口の間の流体流動を制御するのに適合した第一弁、及び、弁本体内の第三の口と外部口とを連通する第二流体流動路に配置され、第三の口と外部口の間の流体流動を制御するのに適合した第二弁を含む流体流動弁アセンブリであって、弁本体が主容器の開口部にシール可能に装着され、そして第一の口、第二の口、及び第三の口が主容器内に位置する流体流動弁アセンブリ、
（ｃ）流体処理容器であり、入口、出口、及び該流体処理容器内に配置された処理用物質を含む流体処理容器であって、主容器内に配置され、且つ、主容器の内部から供給され該流体処理容器を流れる流体を処理するのに適合した流体処理容器、
（ｄ）流体処理容器の入口と弁本体の入口端部の第二の口とを接続する入口管及び流体処理容器の出口と弁本体の入口端部の第三の口とを接続する出口管、及び
（ｅ）主容器内に配置され、不純な化学製品を発生させて該不純な化学製品を主容器の内部に放出するのに適合した反応装置システム、を含む化学製品発生システム。
【請求項２０】
該反応装置システムが、ヒ素含有金属から電気化学反応により湿ったアルシンガスを発生させるのに適合した電気化学アルシン発生装置である、請求項１９に記載のシステム。
【請求項２１】
化学製品発生システムが主容器の内部を大気圧より低い圧力に保つのに適合している、請求項１９に記載のシステム。
【請求項２２】
流体処理容器内に配置される処理用物質が、湿ったアルシンガスから水を除去するのに適合した乾燥用物質である、請求項２０に記載のシステム。
【請求項２３】
（ａ）次の（１）〜（５）、すなわち、
（１）開口部と内部とを有する主容器、
（２）外部口と、少なくとも第一の口、第二の口、及び第三の口を有する入口端部とを有する弁本体、弁本体内の第一の口と第二の口とを連通する第一流体流動路に配置され、第一の口と第二の口の間の流体流動を制御するのに適合した第一弁、及び、弁本体内の第三の口と外部口とを連通する第二流体流動路に配置され、第三の口と外部口の間の流体流動を制御するのに適合した第二弁を含む流体流動弁アセンブリであって、弁本体が主容器の開口部にシール可能に装着され、そして第一の口、第二の口、及び第三の口が主容器内に位置する流体流動弁アセンブリ、
（３）流体処理容器であり、入口、出口、及び該流体処理容器内に配置された処理用物質を含む流体処理容器であって、主容器内に配置され、且つ、主容器の内部から供給されて該流体処理容器を流れる流体を処理するのに適合した流体処理容器、
（４）流体処理容器の入口と弁本体の入口端部の第二の口とを接続する入口管及び流体処理容器の出口と弁本体の入口端部の第三の口とを接続する出口管、
（５）主容器内に配置され、不純な化学製品を発生させて該不純な化学製品を主容器の内部に放出するのに適合した反応装置システム、を含む化学物質発生システムを用意すること、
（ｂ）該不純化学製品を発生させて該不純化学製品を主容器の内部に放出すること、及び
（ｃ）精製化学製品を提供するため、該不純化学製品を流体処理容器を通過させ、そして精製化学製品を第二弁と弁本体の外部口を通して取り出すこと、を含む、精製化学製品発生方法。
【請求項２４】
反応装置システムが、ヒ素含有金属から湿ったアルシンガスを電気化学反応により発生させるのに適合した電気化学アルシン発生装置である、請求項２３に記載の方法。
【請求項２５】
化学製品を発生させるための反応装置システムを主容器の内部の大気圧より低い圧力を維持するよう操作する、請求項２３に記載の方法。
【請求項２６】
流体処理容器内に配置された乾燥用物質により湿ったアルシンガスから水を除去する、請求項２４に記載の方法。
【請求項２７】
（ａ）次の（１）〜（４）、すなわち、
（１）開口部と内部とを有し、該内部に第一反応性成分が収容される主容器、
（２）外部口と、少なくとも第一の口、第二の口、及び第三の口を有する入口端部とを有する弁本体、弁本体内の第一の口と第二の口とを連通する第一流体流動路に配置され、第一の口と第二の口の間の流体流動を制御するのに適合した第一弁、及び、弁本体内の第三の口と外部口とを連通する第二流体流動路に配置され、第三の口と外部口の間の流体流動を制御するのに適合した第二弁を含む流体流動弁アセンブリであって、弁本体が主容器の開口部にシール可能に装着され、そして第一の口、第二の口、及び第三の口が主容器内に位置する流体流動弁アセンブリ、
（３）流体処理容器であり、入口、出口、及び該流体処理容器の内部に配置された第二反応性成分を含む流体処理容器であって、主容器内に配置される流体処理容器、
（４）流体処理容器の入口と弁本体の入口端部の第二の口とを接続する入口管及び流体処理容器の出口と弁本体の入口端部の第三の口とを接続する出口管、を含む化学物質発生システムを用意すること、
（ｂ）第一反応性成分を第一弁を通して流体処理容器に送ること、
（ｃ）第一反応性成分と第二反応性成分を反応させて製品成分を生成させ、該製品成分を流体処理容器から取り出すこと、及び
（ｄ）該製品成分を第二弁と外部口を通して取り出すこと、を含む、化学製品発生方法。
【発明の詳細な説明】
【背景技術】
【０００１】
少量から中程度の量で使用される工業ガスは、加圧ボンベに常温で貯蔵され、そこからガスを必要に応じて取り出す。常温以下の臨界温度を持つガスは、ボンベの設計定格圧力により決定される高圧で貯蔵される。これらの例として、窒素、酸素、水素、ヘリウム、メタン等の低沸点ガスが挙げられ、これらのガスは貯蔵ボンベから相変化なしで取り出される。常温以上の臨界温度を持つガスは、それぞれの蒸気圧に応じて圧縮飽和液体としてボンベに貯蔵され、これらの液体は飽和蒸気がボンベから取り出される時に蒸発する。これらの液化圧縮ガスの一般的な例として、塩素、アンモニア、軽質炭化水素、例えばプロパン、ブタン等、が挙げられる。
【０００２】
特定の産業では、上記のボンベにより供給される非常に高純度のガスが必要である。例えば、非常に高純度のガスは、半導体及びオプトエレクトロニクス装置、ビデオ、ディスプレイパネル、光通信装置、微小電気機械システムを製造するエレクトロニクス産業で使用される。これらのガスの例として、塩化水素、臭化水素、フッ化水素、塩素、アンモニア、六フッ化タングステン、ジシラン、ジクロロシラン、トリメチルシラン、三塩化ホウ素が挙げられる。
【発明の開示】
【発明が解決しようとする課題】
【０００３】
これらのガスのさらに高純度レベルへの要望が、特に液化圧縮ガスとして供給されるガスに対して、大きくなっている。貯蔵ガスが取り出される時に貯蔵ガスを精製し、それにより超高純度のガス製品を供給する組み込み精製器をボンベ又は容器内に持つ、貯蔵用ボンベ又は容器を使用する傾向がある。高純度ガス供給システムの分野では、さらに精製能力が高く、長寿命の改良された組み込み精製器が必要である。また、ガスが精製器を通して取り出されていない間は、組み込み精製器をガスから隔離する方法が必要である。上記の必要性は、以下に記載され、そして特許請求の範囲で定義される、本発明の態様により対処される。
【課題を解決するための手段】
【０００４】
本発明の態様は、外部口と少なくとも第一の口、第二の口、及び第三の口を有する入口端部とを有する弁本体、弁本体内に配置され、第一の口と第二の口の間の流体流動を制御するのに適合した第一弁と、弁本体内に配置され、第三の口と外部口の間の流体流動を制御するのに適合した第二弁とを含む流体流動弁アセンブリを含む。
【０００５】
本発明の別の態様は、（ａ）外部口と、少なくとも三つの口を有する入口端部とを有する弁本体、（ｂ）弁本体内に配置され、入口と、出口と、弁が開いた時に入口から出口への流体流動を可能とし、弁が閉じた時には入口から出口への流体流動を阻止するのに適合した第一シールとを有する第一弁、（ｃ）弁本体内に配置され、入口と、出口と、弁が開いた時に入口から出口への流体流動を可能とし、弁が閉じた時には入口から出口への流体流動を阻止するのに適合した第二シールとを有する第二弁、（ｄ）第一弁の入口と弁本体の入口端部の第一の口とを接続する第一流体流動路及び第一弁の出口を弁本体の入口端部の第二の口に接続する第二流体流動路、及び（ｅ）第二弁の入口と弁本体の入口端部の第三の口とを接続する第三流体流動路及び第二弁の出口を弁本体の外部口に接続する第四流体流動路、を含む流体流動弁アセンブリに関する。
【０００６】
上記流体流動弁アセンブリは更に、弁本体の入口端部の第四の口、弁本体の追加の外部口、弁本体内に配置され、入口と、出口と、弁が開いた時に入口から出口への流体流動を可能とし、弁が閉じた時には入口から出口への流体流動を阻止するのに適合した第三シールとを有する第三弁、第三弁の出口と弁本体の入口端部の第四の口とを接続する第五流体流動路、第三弁の入口を弁本体の追加の外部口に接続する第六流体流動路、を含んでもよい。第一及び第二シールのいずれも、入口と出口の間の流体流動を阻止するために入口と出口に対しシール可能に押し付けられるのに適合した可撓性ダイヤフラムを含むことができる。
【０００７】
関連する態様は、
（ａ）次の（１）〜（５）、すなわち、
（１）外部口と少なくとも三つの口を備えた入口端部とを有する弁本体、
（２）弁本体内に配置され、入口と、出口と、弁が開いた時に入口から出口への流体流動を可能とし、弁が閉じた時には入口から出口への流体流動を阻止するのに適合した第一シールとを有する第一弁、
（３）弁本体内に配置され、入口と、出口と、弁が開いた時に入口から出口への流体流動を可能とし、弁が閉じた時には入口から出口への流体流動を阻止するのに適合した第二シールとを有する第二弁、
（４）第一弁の入口と弁本体の入口端部の第一の口とを接続する第一流体流動路及び第一弁の出口を弁本体の入口端部の第二の口に接続する第二流体流動路、
（５）第二弁の入口と弁本体の入口端部の第三の口とを接続する第三流体流動路及び第二弁の出口を弁本体の外部口に接続する第四流体流動路、
を有する流体流動弁アセンブリ、
（ｂ）流体処理容器であって、入口と、出口と、容器内に配置された処理用物質とを含み、容器を流れる流体を処理するのに適合している流体処理容器、及び
（ｃ）流体処理容器の入口と弁本体の入口端部の第二の口とを接続する入口管及び流体処理容器の出口と弁本体の入口端部の第一の口とを接続する出口管、
を含む、流体流動弁及び流体処理容器アセンブリを含む。
【０００８】
上記流体流動弁及び流体処理容器アセンブリは更に、弁本体の入口端部の第四の口、弁本体の追加の外部口、弁本体内に配置され、入口と、出口と、弁が開いた時に入口から出口への流体流動を可能とし、弁が閉じた時に入口から出口への流体流動を阻止するのに適合した第三シールとを有する第三弁、第三弁の出口と弁本体の入口端部の第四の口とを接続する第五流体流動路、及び、第三弁の入口を弁本体の追加の外部口に接続する第六流体流動路、を含んでもよい。
【０００９】
該流体流動弁及び流体処理容器アセンブリは更に、（ｄ）流体処理容器の入口管と流体処理容器の出口管の間に配置され、且つ、出口管から入口管への流体流動を可能とし、入口管から出口管への流体流動を阻止するのに適合した第一逆止弁、及び、（ｅ）第一逆止弁と流体処理容器の出口との間の位置で出口管に配置され、且つ、流体処理容器の出口から弁本体の入口端部の第三の口への流体流動を可能とし、第三の口から流体処理容器の出口への流体流動を阻止するのに適合した第二逆止弁、を含んでもよい。
【００１０】
流体処理容器内に配置される流体処理用物質は、吸着剤物質、吸収剤物質、触媒物質、ゲッター物質、ろ過物質、及びそれらの組み合わせよりなる群から選ぶことができる。
【００１１】
本発明の別の関連する態様は、
（ａ）開口部と内部を有する流体貯蔵容器、
（ｂ）外部口と、少なくとも第一の口、第二の口、及び第三の口を有する入口端部とを有する弁本体、弁本体内に配置され、第一の口と第二の口の間の流体流動を制御するのに適合した第一弁、弁本体内に配置され、第三の口と外部口との間の流体流動を制御するのに適合した第二弁を含み、弁本体がシール可能に流体貯蔵容器の開口部に装着され、且つ、第一の口、第二の口、及び第三の口が流体貯蔵容器内に位置する流体流動弁アセンブリ、
（ｃ）流体処理容器であり、入口、出口、及び流体処理容器内に配置された処理用物質を含み、該容器を流れる流体を選択的に処理するのに適合している流体処理容器であって、流体貯蔵容器内に配置される流体処理容器、及び
（ｄ）流体処理容器の入口と弁本体の入口端部の第二の口とを接続する入口管及び流体処理容器の出口と弁本体の入口端部の第一の口とを接続する出口管、
を含む、流体貯蔵及び送給システムを含む。
【００１２】
流体貯蔵容器は加圧ガスを収容することができ、そして加圧ガスは窒素、アルゴン、ヘリウム、水素、貴ガス、又はガス混合物よりなる群から選ぶことができる。これとは別に、流体貯蔵容器は加圧液化ガスを収容してもよく、加圧液化ガスは塩化水素、臭化水素、フッ化水素、塩素、アンモニア、六フッ化タングステン、ジシラン、ジクロロシラン、トリメチルシラン、及び三塩化ホウ素よりなる群から選ぶことができる。
【００１３】
流体貯蔵容器は、容器内部に配置され、且つ１種以上の化合物を発生するのに適合した反応装置システムを含んでもよく、この反応装置システムは容器内部に該１種以上の化合物を放出するのに適合する。
【００１４】
流体処理容器内に配置される処理用物質は、吸着剤物質、吸収剤物質、触媒物質、ゲッター物質、ろ過物質、及びそれらの組み合わせよりなる群から選択することができる。
【００１５】
本発明の随意的な態様は、
（ａ）次の（１）〜（４）、すなわち、
（１）開口部と内部を有する流体貯蔵容器、
（２）外部口と、少なくとも第一の口、第二の口、及び第三の口を有する入口端部とを有する弁本体、弁本体内に配置され、第一の口と第二の口の間の流体流動を制御するのに適合した第一弁、及び弁本体内に配置され、第三の口と外部口の間の流体流動を制御するのに適合した第二弁を含み、弁本体がシール可能に流体貯蔵容器の開口部に装着され、且つ第一の口、第二の口、及び第三の口が流体貯蔵容器内に位置する流体流動弁アセンブリ、
（３）流体処理容器であり、入口、出口、及び該容器内に配置された処理用物質を含む流体処理容器であって、流体貯蔵容器内に配置され、且つ流体貯蔵容器の内部から供給されて流体処理容器を流れる流体を処理するのに適合した流体処理容器、
（４）流体処理容器の入口と弁本体の入口端部の第二の口とを接続する入口管及び流体処理容器の出口と弁本体の入口端部の第一の口とを接続する出口管、
を含む、加圧流体貯蔵及び送給システムを用意すること、
（ｂ）第一弁と第二弁を閉鎖位置に保持しながら、流体を流体貯蔵容器に導入すること、
（ｃ）第一弁と第二弁を開放して、それによりそれぞれの弁を開放位置にすること、及び
（ｄ）第一弁を通して流体貯蔵容器から流体を取り出し、流体を流体処理容器に導入し、処理用物質との接触により流体を処理し、流体処理容器から処理した流体を取り出し、処理した流体を第二弁を通して送り、そして処理した流体を外部口を通して取り出すこと、
を含む、流体を貯蔵及び分配するための方法に関する。
【００１６】
上記流体流動弁アセンブリは、弁本体の入口端部の第四の口、弁本体の充填口、弁本体内に配置されて入口と出口を有する第三弁であって、弁が開放位置にある時に入口から出口への流体流動を可能とし、弁が閉鎖位置にある時には入口から出口への流体流動を阻止するのに適合した第三弁、第三弁の出口と弁本体の入口端部の第四の口とを接続する第五流体流動路、及び第三弁の入口を弁本体の充填口に接続する第六流体流動路、を含んでもよい。流体貯蔵容器は、流体を、開放位置の第三弁を通して充填口に導入し、第一弁と第二弁を閉鎖位置に保持しながら流体貯蔵容器に導入して、そして第三弁を閉鎖位置にすることで流体貯蔵容器の充填を終了させることにより、充填することができる。
【００１７】
該加圧流体貯蔵及び送給システムは、（５）流体処理容器の入口管と流体処理容器の出口管の間に配置され、出口管から入口管へ流体流動を可能とし、且つ入口管から出口管への流体流動を阻止するのに適合した第一逆止弁、及び、（６）第一逆止弁と流体処理容器の出口の間の位置で出口管に配置され、流体処理容器の出口から弁本体の入口端部の第三の口への流体流動を可能とし、且つ第三の口から流体処理容器の出口への流体流動を阻止するのに適合した第二逆止弁、を含んでもよい。流体貯蔵容器は、第一弁と第二弁を開放位置にし、流体を、第一弁を通し、第一逆止弁を通し、第二弁を通して製品送給口に導入し、そして流体貯蔵容器に導入して、第一弁と第二弁のそれぞれを閉鎖位置にすることにより流体貯蔵容器の充填を終了させることで、充填することができる。
【００１８】
本発明の別の随意的な態様は、
（ａ）開口部と内部とを有する主容器、
（ｂ）外部口と、少なくとも第一の口、第二の口、及び第三の口を有する入口端部とを有する弁本体、弁本体内に配置され、第一の口と第二の口の間の流体流動を制御するのに適合した第一弁、及び、弁本体内に配置され、第三の口と外部口の間の流体流動を制御するのに適合した第二弁を含む流体流動弁アセンブリであって、弁本体が主容器の開口部にシール可能に装着され、そして第一の口、第二の口、及び第三の口が主容器内に位置する流体流動弁アセンブリ、
（ｃ）流体処理容器であり、入口、出口、及び該流体処理容器内に配置された処理用物質を含む流体処理容器であって、主容器内に配置され、且つ、主容器の内部から供給され該流体処理容器を流れる流体を処理するのに適合した流体処理容器、
（ｄ）流体処理容器の入口と弁本体の入口端部の第二の口とを接続する入口管及び流体処理容器の出口と弁本体の入口端部の第一の口とを接続する出口管、及び
（ｅ）主容器内に配置され、不純な化学製品を発生させて該不純な化学製品を主容器の内部に放出するのに適合した反応装置システム、
を含む、化学製品を発生させるためのシステムに関する。
【００１９】
反応装置システムは、ヒ素含有金属から電気化学反応により湿ったアルシンガスを発生させるのに適合した電気化学アルシン発生装置であることができる。化学製品発生システムは、主容器の内部を大気圧より低い圧力に保つのに適合していてもよい。流体処理容器内に配置される処理用物質は、湿ったアルシンガスから水を除去するのに適合した乾燥用物質でもよい。
【００２０】
本発明の更なる随意的な態様は、
（ａ）次の（１）〜（５）、すなわち、
（１）開口部と内部とを有する主容器、
（２）外部口と、少なくとも第一の口、第二の口、及び第三の口を有する入口端部とを有する弁本体、弁本体内に配置され、第一の口と第二の口の間の流体流動を制御するのに適合した第一弁、及び、弁本体内に配置され、第三の口と外部口の間の流体流動を制御するのに適合した第二弁を含む流体流動弁アセンブリであって、弁本体が主容器の開口部にシール可能に装着され、そして第一の口、第二の口、及び第三の口が主容器内に位置する流体流動弁アセンブリ、
（３）流体処理容器であり、入口、出口、及び該流体処理容器内に配置された処理用物質を含む流体処理容器であって、主容器内に配置され、且つ、主容器の内部から供給されて該流体処理容器を流れる流体を処理するのに適合した流体処理容器、
（４）流体処理容器の入口と弁本体の入口端部の第二の口とを接続する入口管及び流体処理容器の出口と弁本体の入口端部の第一の口とを接続する出口管、及び
（５）主容器内に配置され、不純な化学製品を発生させて該不純な化学製品を主容器の内部に放出するのに適合した反応装置システム、
を含む化学物質発生システムを用意すること、
（ｂ）該不純化学製品を発生させて該不純化学製品を主容器の内部に放出すること、及び
（ｃ）精製化学製品を提供するため、該不純化学製品を流体処理容器を通過させ、そして精製した化学製品を第二弁と弁本体の外部口を通して取り出すこと、
を含む、精製化学製品を発生させるための方法を含む。
【００２１】
反応装置システムは、ヒ素含有金属から湿ったアルシンガスを電気化学反応により発生させるのに適合した電気化学アルシン発生装置であることができる。このシステムは、主容器の内部の大気圧より低い圧力を維持するよう操作してもよい。流体処理容器内に配置された乾燥用物質により湿ったアルシンガスから水を除去してもよい。
【００２２】
本発明のなお別の態様は、
（ａ）次の（１）〜（４）、すなわち、
（１）開口部と内部とを有し、該内部に第一反応性成分が収容される主容器、
（２）外部口と、少なくとも第一の口、第二の口、及び第三の口を有する入口端部とを有する弁本体、弁本体内に配置され、第一の口と第二の口の間の流体流動を制御するのに適合した第一弁、及び、弁本体内に配置され、第三の口と外部口の間の流体流動を制御するのに適合した第二弁を含む流体流動弁アセンブリであって、弁本体が主容器の開口部にシール可能に装着され、そして第一の口、第二の口、及び第三の口が主容器内に位置する流体流動弁アセンブリ、
（３）流体処理容器であり、入口、出口、及び該流体処理容器の内部に配置された第二反応性成分を含む流体処理容器であって、主容器内に配置される流体処理容器、及び
（４）流体処理容器の入口と弁本体の入口端部の第二の口とを接続する入口管及び流体処理容器の出口と弁本体の入口端部の第一の口とを接続する出口管、
を含む化学物質発生システムを用意すること、
（ｂ）第一反応性成分を第一弁を通して流体処理容器に送ること、
（ｃ）第一反応性成分と第二反応性成分を反応させて製品成分を生成させ、該製品成分を流体処理容器から取り出すこと、及び
（ｄ）該製品成分を第二弁と外部口を通して取り出すこと、
を含む、化学製品を発生させるための方法を含む。
【発明を実施するための最良の形態】
【００２３】
本発明の態様では、主容器又は貯蔵容器内に位置する一つ以上の処理容器又はチャンバの隔離を可能にするために、単一本体の複弁式ボンベ弁アセンブリが使用される。この弁は、充填中、輸送中、又は貯蔵中の主容器内容物の連通を防止する。一つ又は複数の内部容器は、例えば貯蔵容器、反応装置、精製器、及び電解槽といったような、任意の処理機能性を有することができる。
【００２４】
臨界温度を超えるガスを収容する高圧ガスボンベと平衡蒸気圧の飽和液体を収容する液化ガスボンベを包含する従来のガスボンベは、これらのガスと液体の安全な貯蔵と輸送のための手段を提供する。貯蔵ガスを取り出す際にそれを精製し、それにより超高純度のガス製品を供給する組み込み精製器をボンベ又は容器内に有する、貯蔵ボンベ又は容器が使用される傾向がある。本発明の態様はそのような組み込み精製器に適用することができる。
【００２５】
また、本発の他の態様は、主容器又はボンベ内でガス状製品を貯蔵し又は発生させるための代替方法を含むこともできる。例えば、ボンベはアルシン（ＡｓＨ3）を発生させるための内部電解槽を含むことができる。これとは別に、主容器又はボンベは、加圧下で固体吸着剤に吸着したガスを収容してもよく、圧力が下げられると排出のためにガスが放出される。これらのいずれにおいても、主容器又は貯蔵ボンベ内に位置する処理容器中の処理用物質との接触により、製品ガスを最終的に取り出す前に処理又は精製してもよい。単一本体の複弁式ボンベ弁アセンブリを貯蔵ボンベの出口に設置して、二つの様式のいずれで操作することもできる。ボンベの充填中、貯蔵中、及び輸送中に用いられる第一の様式では、ボンベ弁アセンブリの両方の弁は閉じられて、内部の処理容器中の処理用物質を貯蔵ボンベの内容物から隔離する。精製した製品ガスをボンベから取り出す際に使用される第二の様式では、ボンベ弁アセンブリの両方の弁は開放されて、貯蔵されていた又は発生したガスを最終の精製用にボンベから内部の処理容器を通して送る。
【００２６】
主容器又はボンベ内に位置する一つ以上の内部処理容器又はチャンバは、いくつかの異なる単位操作を実行するのに適合させることができる。例えば、主容器又はボンベ内の電解発生装置によりアルシン（ＡｓＨ3）を発生させる態様では、吸着剤乾燥用物質を収容した内部処理容器を使用して、発生させた未精製アルシンから水を除くことができる。ボンベの輸送時には、複弁式ボンベ弁アセンブリの両方の弁を閉じて、ボンベを大気から隔離し、且つ乾燥用物質を入れた内部処理容器を電解槽から隔離して輸送又は貯蔵中に槽からの水蒸気が吸着剤を飽和させるのを防止する。
【００２７】
別の態様では、複弁式ボンベ弁アセンブリを現場でのガスの発生のために反応容器として操作されるボンベ内に装着してもよい。この用途においては、ボンベには二つの内部処理容器が取り付けられ、各処理容器は異なる反応物質を収容している。二つの容器は、複弁式ボンベ弁アセンブリの両方の弁を閉鎖することにより、輸送又は貯蔵中に隔離状態が維持される。システムを現場でのガスの発生用に操作するためには、二つの弁を開放することにより二つの内部処理容器を連通させて、反応物質が第一処理容器から第二処理容器に流れ、そこで反応が起こるようにし、そしてボンベからガス状製品を取り出す。
【００２８】
第三の態様は、液体又は液化ガスの貯蔵、輸送及び精製のために、組み込み精製器の概念を使用することである。主容器又はボンベが流体を貯蔵し、内部処理容器又はチャンバが吸着剤精製物質を収容する。吸着剤を隔離したままにするよう両方の弁を閉鎖することにより、充填、輸送、及び貯蔵中は二つの区画を隔離する。次に、両方の弁を開放することによりボンベ内部と内部処理容器を流通させて、それにより貯蔵流体を吸着剤で精製し、精製した製品をボンベから取り出す。
【００２９】
内部流体処理容器、流体流動弁アセンブリ、流体貯蔵容器、及び関連管類はステンレス鋼で製作することができ、好ましくはＡＩＳＩ３１６のようなオーステナイト系ステンレス鋼から製作することができる。これとは別に、一部の用途では、炭素鋼、低合金鋼、銅、銅合金、ニッケル、ニッケル合金（例えばハステロイ（登録商標）Ｃ２２等）、キュプロニッケル合金、及び他の同様の金属合金が好ましい。一部の選定された用途では、エンジニアリングポリマー（例えばポリフッ化ビニリデン（Ｋｙｎａｒ（登録商標）））、ガラス、セラミック物質等の非金属材料が実用的であろう。
【００３０】
ボンベ内の流体は、例えば窒素、アルゴン、ヘリウム、水素、貴ガス、又はガス混合物等の、臨界温度よりも高い任意のガスでよい。これとは別に、ボンベ内の流体は、共存する蒸気相と液相を含む圧縮液化ガスでもよい。典型的な圧縮液化ガスとしては、例えば、塩化水素、臭化水素、フッ化水素、塩素、アンモニア、六フッ化タングステン、ジシラン、ジクロロシラン、トリメチルシラン、及び三塩化ホウ素を挙げることができる。あるいはまた、ここに列記されない他の圧縮液化ガスをボンベに貯蔵してもよい。
【００３１】
ここで流体又はガス流に適用される「処理」という用語は、流れの物理的及び／又は化学的性質を変化させるいずれかの操作と定義される。処理としては、例えば、吸着作用による精製、吸収作用による精製、ゲッタリング、化学反応、電気化学反応、及びスクラビングを挙げることができる。
【００３２】
原文明細書で用いられる不定冠詞「ａ」及び「ａｎ」は、明細書及び特許請求の範囲に記載される本発明の態様におけるいずれの態様に適用される場合にも、１又はそれ以上を意味する。「ａ」及び「ａｎ」の使用は、そのように限定することが特記されない限り、単一のものを意味することに限定しない。単数又は複数名詞又は名詞句に先立つ定冠詞「ｔｈｅ」は、特に指定される１又は複数のものを示すものであり、それが用いられる文脈に応じて単数又は複数を内包的に意味することが可能である。形容詞「ａｎｙ」は、どんな量であるかには無関係に、一つ、いくつか、又は全てを意味する。第一要素と第二要素の間に置かれた用語「及び／又は」は、（１）第一要素、（２）第二要素、及び（３）第一要素と第二要素、のうちの一つを意味する。
【００３３】
本発明の典型的な態様を図１の概略図に示す。この図では、複弁式の流体流動弁アセンブリ１が、ボンベ本体５にシール可能に取り付け又は接続された上部３を含むボンベ２に装着される。弁アセンブリは、管継手ネジシール、溶接、シールしたフランジ、又は他の任意の適切な方法により、上部３に取り付けることができる。上部３は、本体５にシール７により取り付けられ、このシールは図示のようにシール面の間で圧縮される、例えばＯリング又はガスケットシールでよい。あるいはまた、フランジ付きのシールを使用してもよい（図示せず）。別の態様では、複弁式の流体流動弁アセンブリ１は、高圧ガスボンベにネジで装着してもよい（図示せず）。
【００３４】
弁アセンブリ１は、それぞれ外部ハンドル又はレンチコネクタ１５及び１７を有する統合第一弁１１及び統合第二弁１３を含む弁本体９を含む。弁本体の入口端部は図示のように上部３にシール可能に挿入され、入口端部は３つの口１９、２１、２３を有し、そして弁本体は出口２５を有する。弁１１の出口は流体流動路２７を介して口１９に接続され、弁１１の入口は流体流動路２９を介して口２１に接続される。弁１３の入口は流体流動路３１を介して口２３に接続され、弁１３の出口は出口２５に接続される。ボンベ本体５の内部には流体処理容器３３が位置し、この容器は入口３５と出口３７を有する。口１９と入口３５は入口管３６で接続され、口２３と出口３７は出口管３９で接続される。流体処理容器は、例えば吸着剤物質、吸収剤物質、触媒物質、ゲッター物質、ろ過物質を始めとする、処理用物質を収容する。
【００３５】
弁１１が閉じられると、ボンベ２内の流体又はガスは流体処理容器３３の処理用物質から隔離される。弁１３が閉じられると、システム全体が周囲外気から隔離される。弁１１と１３が開放されると、ボンベ内部からの流体又はガスが、口２１、流路２９、弁１１、流路２７、口１９、及び入口管３７を通り処理容器３３中へと流れる。この流体又はガスは容器３３内で反応し又は精製されて、精製された製品は出口管３９、口２３、流路３１、弁１３、出口２５を通って流れる。
【００３６】
本発明の態様では、ボンベ２の内部にガスを内部で発生させるのに適合したガス発生装置４１が含まれる。この発生装置は、例えば、アルシン（ＡｓＨ3）製造用の電解発生装置でよい。この態様では、ヒ素含有金属から湿ったアルシンガスが電気化学反応で製造されて、ボンベ２の内部へ流入し、そして処理容器３３内の乾燥用吸着剤物質を通過することにより精製される。ボンベの輸送及び貯蔵中は、弁１１と１３が閉じられて乾燥用吸着剤物質をガス発生装置４１から隔離し、操作中は弁１１と１３は開放される。
【００３７】
ボンベ本体５には液体又は液化ガスを充填することができ、上部３が本体にシール可能に接続されてボンベ２を形成する。これとは別に、ボンベ２は、シールして閉じてから、別の充填管路と弁（図示せず）によって充填してもよい。もう一つの態様では、追加の外部口に接続した入口と、この入口で弁本体９の第四の口に第四流体流動路を介して接続した出口とを有する別の統合弁（図示せず）を含むように、弁本体９を変更してもよい。この追加の外部口と弁をボンベ２を充填するのに使用することができる。
【００３８】
ボンベ２を充填するための別の態様を図２に示す。この態様では、図示のように入口管３６と出口管３９の間に逆止弁４３を取り付けることにより、処理容器３３の入口及び出口の管類を変更する。逆止弁４３は出口管３９から入口管３６への流れを可能とし、その逆方向の流れを阻止する。出口管３９には図示のように逆止弁４５が取り付けられ、処理容器３３からの流れを可能とし、処理容器３３への逆方向の流れを阻止する。この変更は、弁１１と１３を開放し出口２５を介して流体を導入することにより、シールされたボンベ２を充填するのに使用することができる。流体は、弁１３、流路３１、管３９、逆止弁４３、管３６、流路２７、弁１１、及び流路２９を通りボンベ２の内部へ流入する。流体を弁１３を介してボンベから取り出すときには、弁アセンブリは図１を参照して述べた上記の様式で動作する。
【００３９】
図１の態様では、弁１１はハンドル１５で作動される弁内にシール又はシール機構を有し、弁が開放した時に流路２９から流路２７への流体の流れを可能とし、弁が閉じた時には流路２９から流路２７への流体の流れを阻止する。同様に図１の態様では、弁１３はハンドル１７で作動される弁内にシール又はシール機構を有し、弁が開放した時に流路３１から出口２５への流体の流れを可能とし、弁が閉じ時には流路３１から出口２５への流体の流れを阻止する。
【００４０】
図２の態様では、弁１１内のシール又はシール機構が、弁が開放した時に流路２９から流路２７への又は流路２７から流路２９への流体の流れを可能とし（どちらの操作様式が使用されるかに依存して）、弁が閉じた時には流路２９から流路２７への又は流路２７から流路２９への流体の流れを阻止する（どちらの操作様式が使用されるかに依存して）。同様に図２の態様では、弁１３内のシール又シール機構が、弁が開放した時に出口２５から流路３１への又は流路３１から出口２５への流体の流れを可能とし（どちらの操作様式が使用されるかに依存して）、弁が閉じた時には出口２５から流路３１への又は流路３１から出口２５への流体の流れを阻止する（どちらの操作様式が使用されるかに依存して）。
【００４１】
弁１１と１７のいずれか又は両方は、シール又はシール機構がそれぞれハンドル１５及び／又は１７によって作動されるダイヤフラムであるダイヤフラム式の弁であることができる。あるいはまた、弁１１と１７のいずれか又は両方は、同等のシール機能を提供する当該技術分野で既知の他のどのようなタイプの弁であってもよい。
【００４２】
図１と２のシステムは、別の処理機能のために使用してもよい。例えば、反応性成分Ａをボンベ２の内部に貯蔵し、もう一つの反応性成分Ｂを処理容器３３に貯蔵してもよい。成分ＡとＢは弁１１と１３が閉じている時に隔離される。弁１１と１３を開放すると、成分Ａは流路２９、弁１１、流路３６を通って処理容器３３へ流入し、そこで成分ＡとＢが反応して一つ以上の反応生成物を生成する。これらの反応生成物は、出口管３９、流路３１、弁１３、そして口２５を通して取り出される。もう一つの態様では、二つの容器をボンベ２内に取り付けることができ、一方の容器は反応性成分Ａを収容し、他方は反応性成分Ｂを収容する。これらの容器はボンベ２内に、両者を隔離することができ、且つボンベ２が二つの容器を安全に封じ込めることができるように取り付けられる。これは、弁４５と流路３１への入口との間の出口管路３９に第二内部容器（図示せず）を配置する図２のシステムの変更でもって行うことができる。成分Ａは容器３３内に加圧下で貯蔵され、成分Ｂは第二内部容器内に加圧下で貯蔵される。成分ＡとＢは、弁１１と１３の閉鎖時に隔離される。弁１１と１３を開放すると、成分Ａは逆止弁４５を通って第二内部容器に流入し、そこで成分Ｂと反応して一つ以上の製品成分を生成し、そしてそれはその後、流路３１、弁１３、及び口２５を通って流れる。
【００４３】
上記の単一本体の複弁式ボンベ弁アセンブリの一例を図３の外観図に示す。図１を参照して先に説明したように、弁本体９は二つの統合内部弁と、流体流動路を有する。二つの内部弁１１と１３は、それぞれハンドル３０１と３０３で操作される。あるいはまた、ハンドル３０１に代えて安全目的ためにレンチ操作弁ステムを用いてもよい。入口端部３０５は、必要に応じネジ式のボンベ入口又はフランジ式のボンベ上部への挿入のためにネジ切りしてもよい。出口３０７は図１の出口２５に対応する。
【００４４】
図３の４−４断面を図４に示し、この図において弁４０１は図１の弁１３に対応し、流体流動路４０３、４０５、４０７はそれぞれ図１の流路３１、２９、２７に対応する。図４の口４０９、４１１、４１３は、それぞれ図１の口２３、２１、１９に対応する。図４は、例えばシール可能なネジ接続による、典型的なボンベ４１５への、単一本体の複弁式ボンベ弁アセンブリの装着を示している。典型的なボンベキャップ４１７を使用して、必要に応じ輸送及び貯蔵中におけるボンベ弁アセンブリを保護してもよい。
【００４５】
図５は図３の外観図を９０度回転したものであり、本体９、ハンドル３０１、及びハンドル３０３を示している。図６は図５の６−６断面であり、それぞれ図１の弁１３と１５に対応する弁４０１と６０１を示している。出口３０７は図１の出口２５に対応し、流体流動路４０５は流路２９に対応し、口４１１は口２１に対応する。
【図面の簡単な説明】
【００４６】
【図１】本発明の態様による流体貯蔵及び送給システムの概略断面図である。
【図２】本発明の別の態様による流体貯蔵及び送給システムの概略断面図である。
【図３】図１と２の流体貯蔵及び送給システムで使用するための流体流動弁アセンブリの側面図である。
【図４】図３の流体流動弁アセンブリの４−４線断面図である。
【図５】図３の流体流動弁アセンブリを９０度回転した側面図である。
【図６】図５の流体流動弁アセンブリの６−６線断面図である。
【図１】
0004680822.tif 000002
【図２】
0004680822.tif 000003
【図３】
0004680822.tif 000004
【図４】
0004680822.tif 000005
【図５】
0004680822.tif 000006
【図６】
0004680822.tif 000007